(57)【要約】【課題】  本発明は、ロッドによる操作によって開閉される開閉窓の防虫ネットに於いて、ロッドを介して開閉窓を開閉でき且つ虫の侵入を防止できる簡易な構造の防虫ネットの提供を課題とする。【解決手段】  一端部が開閉窓に連結されたロッド２を介して開閉窓の開閉操作を行うように構成された構造物の内部空間に、虫の侵入が防止された虫侵入防止空間を形成するための防虫ネットであって、開閉窓を開閉操作する際のロッド２の移動領域が開口５３とされたネット本体５２と、ロッド２の開口５３内に於ける移動を許容しつつ、開口５３を閉塞する遮閉機構６とを備えていることを特徴とする。【選択図】  図４
2007037493.tif 000002
【特許請求の範囲】
【請求項１】
一端部が開閉窓に連結されたロッドを介して該開閉窓の開閉操作を行うように構成された構造物の内部空間に、虫の侵入が防止された虫侵入防止空間を形成するための防虫ネットであって、
前記開閉窓を開閉操作する際の前記ロッドの移動領域が開口とされたネット本体と、前記ロッドの前記開口内に於ける移動を許容しつつ、前記開口を閉塞する遮閉機構と、を備えていることを特徴とする防虫ネット。
【請求項２】
前記構造物は、前記ロッドを前記開口の長手方向一方側及び他方側へ移動させることにより、前記開閉窓の開閉操作が行われるように構成されており、
前記遮閉機構は、前記開口を閉塞すると共に、前記ロッドが貫通される貫通孔が設けられた巻き取り可能なシートと、前記開口の長手方向一方側及び他方側への前記ロッドの移動に応じて前記シートの一端側及び他端側をそれぞれ巻き取る第１巻き取り部材及び第２巻き取り部材とを含むことを特徴とする請求項１に記載の防虫ネット。
【請求項３】
前記シートの一端部と前記第１巻き取り部材との間には、該シートを第１巻き取り部材に巻き取らせる方向へ付勢する第１付勢部材が設けられ、
前記シートの他端部と前記第２巻き取り部材との間には、該シートを第２巻き取り部材に巻き取らせる方向へ付勢する第２付勢部材が設けられていることを特徴とする請求項２に記載の防虫ネット。
【請求項４】
前記構造物は、前記ロッドを前記開口の長手方向一方側及び他方側へ移動させることにより、前記開閉窓の開閉操作が行われるように構成されており、
前記遮閉機構は、前記開口の短手方向に沿った第１及び第２枢支軸と、前記開口を閉塞するように前記第１及び第２枢支軸に無端状に巻き回されたシートであって、前記ロッドが貫通される貫通孔が設けられたシートとを含むことを特徴とする請求項１に記載の防虫ネット。
【請求項５】
前記シートには、該シートを前記開口の長手方向に沿って張設するための付勢部材が介挿されていることを特徴とする請求項４に記載の防虫ネット。
【発明の詳細な説明】
【技術分野】
【０００１】
本発明は、ロッドを介して開閉操作が行われる開閉窓を備えた構造物に於いて、開閉窓から虫の侵入を防止するための防虫ネットに関する。
【背景技術】
【０００２】
従来、例えば、温室の天窓は、ロッドを介して開閉操作が行われている。この天窓を開いた際、外部から温室内に虫が侵入することを防止するため、温室には防虫ネットが設けられている。
かかる防虫ネットの設置構造として、天窓に連結されたロッドの下方側に受け皿状の防虫網を設けるもの（特許文献１の［０００３］及び図１０）、防虫網の上端を天窓の開閉端に固定し、且つ防虫網の下端を屋根の窓開口側端部に固定したもの（同［０００４］及び図１１）などが知られている。前者の場合には、防虫網の設置面積が広くなるので、透光性や通気性に劣り、設置コストや清掃メンテナンスコストなどが嵩むなどの問題がある。後者の場合には、天窓を閉じた際、防虫網が、外側へ出た状態となるため、耐久性に優れた防虫網を使用する必要があり、又、防虫網を通じて温室内に雨水が浸入する虞がある。
【０００３】
また、特許文献１には、屋根の天窓開口部に回転可能に取り付けられる巻き取りロールと、巻き取りロールに巻付けられると共に、上端を天窓の下端部に固定された防虫網と、天窓を閉じる際に巻き取りロールを防虫網巻き取り方向に回転させることにより、天窓を開く際に広げられた防虫網を該巻き取りロールに巻き戻す防虫網巻き戻し手段とを備えている温室天窓用害虫侵入防止装置が開示されている（同特許文献１の［請求項１］及び図１など）。
しかしながら、上記巻き取りロールと、このロールに巻付けられる防虫網と、防虫網をロールに巻き戻す防虫網巻き戻し手段とを備える害虫侵入防止装置は、防虫網の巻き取り量と天窓の開度を調整する必要があり、更に、天窓の妻側に、扇形防虫網を設けなければならず（同［００４６］及び図５など）、複雑な構造となる。
【０００４】
【特許文献１】特開２００４−１８７５７８公報
【発明の開示】
【発明が解決しようとする課題】
【０００５】
そこで、本発明は、ロッドによる操作によって開閉される開閉窓の防虫ネットに於いて、ロッドを介して開閉窓を開閉でき且つ虫の侵入を防止できる簡易な構造の防虫ネットを提供することを課題とする。
【課題を解決するための手段】
【０００６】
ロッドによって開閉操作される開閉窓に於いては開閉時にロッドが前後に移動する。従って、従来、ロッドによる開閉操作が行われる開閉窓を防虫する場合、ロッドを避けるように防虫網が設けられている。この点、本発明者らは、防虫網にロッドを貫通させつつ、ロッドの移動領域を閉塞するという着想の下、本発明を完成させた。
すなわち、本発明は、一端部が開閉窓に連結されたロッドを介して開閉窓の開閉操作を行うように構成された構造物の内部空間に、虫の侵入が防止された虫侵入防止空間を形成するための防虫ネットであって、開閉窓を開閉操作する際のロッドの移動領域が開口とされたネット本体と、ロッドの開口内に於ける移動を許容しつつ、開口を閉塞する遮閉機構とを備えていることを特徴とする防虫ネット（１）を提供する。
【０００７】
上記防虫ネットは、ネット本体の開口に開閉窓のロッドを貫通させた状態で取付けられる。該防虫ネットは、開閉窓を開閉操作する際のロッドの移動領域が開口とされているので、開閉操作時に於けるロッドは、ネット本体に干渉する虞がなく、ロッドを介して開閉窓を開閉することができる。さらに、この開口内に於けるロッドの移動を許容しつつ、開口を閉塞する遮閉機構が設けられているので、ロッドの移動中及び移動後、開口から虫が侵入することを防止できる。
かかる防虫ネットは、開口を有するネット本体と、開口を閉塞する遮閉機構とを備えるものであるため、上記従来のものに比して簡易な構造となる。また、該防虫ネットは、個々の開閉窓の内側に、開閉窓に対面するように設置することができるので、構造物内への透光性や通気性を十分に確保することができる。
【０００８】
また、本発明の好ましい態様では、上記防虫ネット（１）に於いて、構造物は、ロッドを開口の長手方向一方側及び他方側へ移動させることにより、開閉窓の開閉操作が行われるように構成されており、遮閉機構は、開口を閉塞すると共に、ロッドが貫通される貫通孔が設けられた巻き取り可能なシートと、開口の長手方向一方側及び他方側へのロッドの移動に応じてシートの一端側及び他端側をそれぞれ巻き取る第１巻き取り部材及び第２巻き取り部材とを含む防虫ネット（２）を提供する。
さらに、本発明の好ましい態様では、上記防虫ネット（２）に於いて、シートの一端部と第１巻き取り部材との間には、シートを第１巻き取り部材に巻き取らせる方向へ付勢する第１付勢部材が設けられ、シートの他端部と第２巻き取り部材との間には、シートを第２巻き取り部材に巻き取らせる方向へ付勢する第２付勢部材が設けられている防虫ネット（３）を提供する。
【０００９】
かかる防虫ネット（２）は、ロッドの移動領域である開口をシートによって閉塞するため、開口から虫が侵入することを防止できる。また、このシートは、ロッドの移動に応じて一端側及び他端側が第１巻き取り部材及び第２巻き取り部材に巻き取られるので、シートが摩耗し難く、耐久性に優れている。
特に、シートを巻き取る第１巻き取り部材及び第２巻き取り部材に、第１付勢部材及び第２付勢部材が設けられている防虫ネット（３）は、ロッドの移動に応じて巻き取られるシートが、（弛むことなく）常時張設された状態となるため、シートを円滑に巻き取ることができる上、開口を確実に閉塞して虫の侵入を防止できる。
【００１０】
また、本発明の好ましい態様では、上記防虫ネット（１）に於いて、構造物は、ロッドを開口の長手方向一方側及び他方側へ移動させることにより、開閉窓の開閉操作が行われるように構成されており、遮閉機構は、開口の短手方向に沿った第１及び第２枢支軸と、開口を閉塞するように第１及び第２枢支軸に無端状に巻き回されたシートであって、ロッドが貫通される貫通孔が設けられたシートとを含む上記防虫ネット（４）を提供する。
さらに、本発明の好ましい態様では、上記防虫ネット（４）に於いて、シートに、シートを前記開口の長手方向に沿って張設するための付勢部材が介挿されている防虫ネット（５）を提供する。
【００１１】
かかる防虫ネット（４）は、第１及び第２枢支軸に無端状に巻き回されたシートによって開口を閉塞するため、開口から虫が侵入することを防止できる。また、このシートは、第１及び第２枢支軸に無端状に巻き回され、ロッドの移動に応じて無端状シートが回るので、シートが摩耗し難く、耐久性に優れている。
特に、シートを開口の長手方向に沿って張設するための付勢部材が設けられている防虫ネット（５）は、ロッドの移動に応じて回るシートが、（弛むことなく）常時張設された状態となるため、シートを円滑に回すことができる上、開口を確実に閉塞して虫の侵入を防止できる。
【００１２】
また、本発明の好ましい態様では、上記防虫ネット（１）に於いて、遮閉機構は、開口を閉塞するように張設され、且つロッドが貫通される貫通孔が設けられたシートを含み、シートは、開口を閉塞しつつ、開口内におけるロッドの移動を許容し得る弾性を有している防虫ネット（６）を提供する。
かかる防虫ネットは、弾性を有するシートによって開口を閉塞するため、ロッドの移動に応じてシートが弾性変形し、ロッドの移動領域となる開口部を閉塞することができる。
【００１３】
また、本発明の好ましい態様では、上記防虫ネット（１）に於いて、構造物は、ロッドを前記開口の長手方向一方側及び他方側へ移動させることにより、開閉窓の開閉操作が行われるように構成されており、遮閉機構は、開口を閉塞すると共に、ロッドが貫通される貫通孔が設けられたシートを含み、シートは、開口の長手方向幅の２倍以上の長さを有し、開口の長手方向に沿ったロッドの移動によってネット本体に対して開口の長手方向に沿って相対移動する防虫ネット（７）を提供する。
かかる防虫ネットは、開口を閉塞するシートが、開口の長手方向幅の２倍以上の長さを有し、開口の長手方向に沿ったロッドの移動によってネット本体に対して開口の長手方向に沿って相対移動するため、ロッドの移動中及び移動後、開口を閉塞して、虫の侵入を防止できる。
【００１４】
また、本発明の好ましい態様では、上記防虫ネット（１）に於いて、構造物は、ロッドを開口の長手方向一方側及び他方側へ移動させることにより、開閉窓の開閉操作が行われるように構成されており、遮閉機構は、開口を閉塞するように設けられたシートであって、開口の長手方向に沿って切れ目が形成され、且つ切れ目内にロッドが貫通される貫通孔が設けられているシートを含み、切れ目は、貫通孔と共に移動するスライダー部の通過によって係脱可能な係合部を介して閉塞されている防虫ネット（８）を提供する。
かかる防虫ネットは、開口を閉塞するシートに、切れ目が形成され、この切れ目内にロッドの貫通される貫通孔が形成されているので、ロッドを移動させて開閉窓を開閉できる。この切れ目は、貫通孔と共に移動するスライダー部の通過によって係脱可能な係合部を介して閉塞されているので、ロッドの移動中及び移動後、貫通孔以外の切れ目部分が閉塞されるので、開口から虫の侵入を防止できる。
【発明の効果】
【００１５】
本発明の防虫ネットは、ロッドの移動領域が開口とされているので、ロッドによる開閉操作時、ロッドがネット本体に干渉せず、ロッドを介して開閉窓を円滑に開閉することができる。ロッドの移動領域となる開口は、遮閉機構によって閉塞されるので、ロッドの移動中又は移動後、開口から虫が侵入することを防止できる防虫ネットを提供できる。
また、本発明の防虫ネットは、比較的簡易な構造であり、又、該防虫ネットは、ロッドを貫通させた状態で取り付けることができるので、例えば、個々の開閉窓の内側に、開閉窓に対面するように設置することもできる。
また、防虫ネットは、その好ましい各種の態様に応じ、耐久性に優れ、開口を確実に閉塞して虫の侵入を防止できる。
【発明を実施するための最良の形態】
【００１６】
以下、本発明について図面を参照しつつ説明する。
（第１実施形態）
図１は、防虫ネット及び開閉窓を備える構造物を妻側から見た一部省略参考正面図で、その（ａ）は、開閉窓を閉じた状態を、（ｂ）は、開閉窓を開けた状態を示す。図２は、防虫ネット及び開閉窓を備える構造物を屋根側から見た一部省略参考平面図で、防虫ネットの取付状態を判り易く示すため、開閉窓の一部を二点鎖線で表している。図３は、ロッドが貫通された防虫ネットの平面図を示す。図４（ａ）は、図３のＡ−Ａ線一部省略縦断面図を示し、図４（ｂ）は、ロッドを移動させた状態の同縦断面図を示す。
【００１７】
図１〜図４に於いて、１は、ロッド２を介して開閉操作が行われる開閉窓３と、この開閉窓３から虫の侵入を防止するための防虫ネット５と、を備えている温室などの構造物を示し、防虫ネット５を設置することによって、構造物１の内部に虫侵入防止空間が形成されている。
この防虫ネット５は、ロッド２が貫通され且つロッド２の移動領域に応じて開口部５３が形成されたネット本体５２と、開口部５３内に於けるロッド２の移動を許容しつつ開口部５３を閉塞する遮閉機構６と、を備えている。
防虫ネット５は、例えば、個々の開閉窓３の内側に、開閉窓３に対面するように取り付けられている。
【００１８】
開閉窓３は、例えば、構造物１の屋根に設けられた所謂天窓で、該開閉窓３は、図２に示すように、構造物１の奥行き方向に所定間隔を開けて並設されている。この開閉窓３は、一側部３ａが屋根に回動自在に軸着され、且つ他側部３ｂが自由端とされており、一側部３ａを中心に回動させ、他側部３ｂから開閉する跳ね上げ式の開閉窓とされている。
この開閉窓３の他側端中央部には、開閉操作を行うためのロッド２の一端部が軸着されている。このロッド２を構造物１の外側へ押し出すことにより、開閉窓３は開けられ、ロッド２を構造物１の内側へ退かせることにより、開閉窓３は閉じられる。
このロッド２は、防虫ネット５の細長い開口部５３に挿通されている。そして、開閉窓３は、円運動によって開閉するため、開閉窓３を開閉操作すべくロッド２を出退させた際、図１（ｂ）の矢印に示すように、ロッド２の中途部は、開口部５３の長手方向一方側及び他方側へと移動する。
【００１９】
ロッド２は、例えば、ラックピニオン機構によって出退可能に構成されている。具体的には、ロッド２は、その長手方向に歯部が形成された直状のラック２１からなり、該ラック２１の一端部が開閉窓の他側部に軸着されている。このラック２１の歯部は、ピニオン２２の歯部に噛み合わされている。ピニオン２２は、ラック２１を挿通支持するピニオンケース２３内に回動自在に軸支されている。このピニオン２２の回転中心軸には、駆動軸２４が連結されており、この駆動軸２４は、梁などの構造物１の構成部材（固定側）に回動可能に取り付けられている。この駆動軸２４を正逆回転させることにより、ピニオン２２を介してロッド２１（ラック）が出退可能となっている。
尚、ピニオン２２の駆動軸２４は、モータ（図示せず）を介して駆動するものでも良いし、手動で駆動するように構成されていてもよい。
【００２０】
次に、防虫ネット５は、図３及び図４に示すように、例えば開閉窓３の窓枠内側に取付可能な矩形状のフレーム部５１と、このフレーム部５１に張設されたネット本体５２と、ネット本体５２の一部分に形成され且つ挿通されたロッド２の移動領域となる開口部５３と、この開口部５３を遮閉するシート６１と、このシート６１の一部に設けられ且つロッド２が貫通されたロッド貫通孔６２と、を備えている。
フレーム部５１は、例えば、金属製枠、木枠などの機械的強度を有する枠部材から形成されている。ネット本体５２は、害虫の侵入を防止できる程度の大きさの網目を有するものであれば特に限定されず、例えば、ステンレス製網などの金属網、各種糸条を格子状に織り込んだ網、網状に成形した合成樹脂成形シートなど、従来公知のものを用いることができる。
【００２１】
開口部５３は、ロッド２の移動領域に対応して細長状に開口されている。従って、該開口部５３に挿通されたロッド２は、開閉窓３の開閉時、開口部５３の長手方向に沿って移動できるようになっている。
この開口部５３は、ネット本体５２の一部分に設けられたプレート部材７の内側に形成されている。このプレート部材７は、図５にも示すように、平面視略長方形状の部材からなり、その中央部に細長い開口部５３が形成されていると共に、プレート部材７の長手方向一側部及び他側部に、シート６１を挿通可能な第１及び第２シート挿通孔７１，７２がそれぞれ形成されている。このプレート部材７は、金属板や硬質合成樹脂板などの機械的強度を有する長尺板状体などを用いて形成することができる。尚、プレート部材７は、例えば、フレーム部５１やネット本体５２などに固着することにより支持されている。
【００２２】
このプレート部材７の上面には、開口部５３を閉塞するシート６１が設けられている。このシート６１の一端側は、プレート部材７の第１シート挿通孔７１に挿通されてプレート部材７の下方側へ伸び、開口部５３の一方側下方に設けられた第１巻き取り部材６３に巻き取られている。一方、シート６１の他端側は、プレート部材７の第２シート挿通孔７２に挿通されてプレート部材７の下方側へ伸び、開口部５３の他方側下方に設けられた第２巻き取り部材６４に巻き取られている。第１巻き取り部材６３は、シート６１の一端縁が固着され、且つシート６１の一端側を巻き取る回動自在な第１巻き取り軸６３１と、この第１巻き取り軸６３１をシート巻き取り方向（図４（ａ）に示す矢印方向）へ付勢する第１付勢部材（例えば、ゼンマイ式バネなど。図示せず）と、を備えている。また、第２巻き取り部材６４は、シート６１の他端縁が固着され、且つシート６１の他端側を巻き取る回動自在な第２巻き取り軸６４１と、この第２巻き取り軸６４１をシート巻き取り方向（図（ａ）に示す矢印方向）へ付勢する第２付勢部材（上記と同様）と、を備えている。尚、第１及び第２巻き取り部材６３，６４は、例えば、フレーム部５１やネット本体５２などに固着することにより支持されている（図示せず）。
このようにシート６１の両端側は、巻き取り方向へ付勢された第１及び第２巻き取り軸６３１，６４１にそれぞれ巻き取られているため、該シート６１は、プレート部材７の上面に於いて弛むことがなく、常時張設された状態で開口部５３を閉塞している。
【００２３】
シート６１の材質は、特に限定されず、柔軟な合成樹脂製シート材、布地などを用いることができる。又、シート６１は、虫の侵入を防止できる程度の網目が形成されたシート材でもよい。また、シート６１の長さ（シート６１の一端縁から他端縁までの長さ）は、開口部５３の長手方向略全体に亘ってロッド２の移動を許容しつつ、開口部５３をシート６１にて閉塞できるようにする点から、開口部５３の長手方向幅の２倍以上に形成することが好ましい。また、シート６１の幅は、虫が侵入しない程度に開口部５３を閉塞できるように形成されていればよいが、開口部５３の幅よりも幅広に形成されていることが好ましい。このようにシート６１が幅広に形成されていることにより、図５に示すように、シート６１の幅方向両側部が、プレート部材７の開口両側部の上面に略接するので、開口部５３を確実に閉塞できると共に、シート６１を安定的に移動させることができる。
【００２４】
上記シート６１には、開口部５３を閉塞している部分に於いて、内側にロッド貫通孔６２が形成されたガイド部材６２１が設けられている。このガイド部材６２１は、その一端部及び他端部がシート６１に連結され、且つその幅方向両側部がプレート部材７の開口両側部に接するようにプレート部材７の上面に置かれている。ガイド部材６２１に形成されたロッド貫通孔６２は、挿通されたロッド２を出退させるべく、ロッド２の外形よりもやや大開口に形成されている。尚、このロッド貫通孔６２とロッド２の隙間から非常に小さな虫が侵入する虞がある場合には、ガイド部材６２１の少なくともロッド貫通孔６２に、反射材などの虫忌避材を貼り付ける或いは虫忌避剤を塗布するなどの虫忌避処理を施すことが好ましい。
【００２５】
上記防虫ネット５を備える開閉窓３は、ロッド２を出退させて開閉窓３を開ける際、ロッド２が開口部５３の長手方向に沿って移動すると共に、ロッド２に追従してシート６１も移動する。例えば、図１（ｂ）の如く開閉窓３を開けた際には、ロッド２は、図４（ｂ）に示すように、開口部５３の他方側へ移動する。このロッド２の移動に伴い、シート６１の一端側は、第１巻き取り軸６３１から引き出され、且つシート６１の他端側は、第２巻き取り軸６４１に巻き取られる。反対に、ロッド２が、開口部５３の一方側へ移動した際には、シート６１の一端側は、第１巻き取り軸６３１に巻き取られ、且つシート６１の他端側は、第２巻き取り軸６４１から引き出される。従って、本発明の防虫ネット５は、ロッド２を円滑に移動させて開閉窓３を開閉することができ、更に、ロッド２の移動中及び移動後に於いて、ロッド２の移動領域となる開口部５３をシート６１によって閉状態に保つことができるので、開口部５３から虫が侵入することを防止できる。
かかる防虫ネット５は、比較的簡易な構造であり、個々の開閉窓３の内側に、開閉窓３に対面するように設置することができるので、構造物１内への透光性や通気性を十分に確保することができる。
【００２６】
尚、本実施形態に於いて、第１巻き取り軸６３１及び第２巻き取り軸６４１に、第１付勢部材及び第２付勢部材が設けられているので、シートを張設状態に保つことができるため好ましいが、第１巻き取り軸６３１及び第２巻き取り軸６４１に、第１付勢部材及び第２付勢部材を設けない態様に変更することもできる。
【００２７】
（第２実施形態）
第２実施形態は、遮閉機構として、開口部を閉塞するシートが無端状に形成されている防虫ネットに係る。以下、主として上記実施形態と異なる部分について説明し、同様の構成については、特に説明せず、用語及び図番を援用する場合がある（以下、第３〜第６実施形態についても同じ）。
図６に於いて、開口部５３の一方側下方に、開口部５３の短手方向（幅方向）に沿って第１枢支軸６５が設けられ、且つ開口部５３の他方側下方に、開口部の短手方向（幅方向）に沿って第２枢支軸６６が設けられている。開口部５３を閉塞するシート６１は、第１枢支軸６５及び第２枢支軸６６に無端状に巻き回されている。
【００２８】
具体的には、シート６１は、上記第１実施形態と同様に、開口部５３を閉塞するように、プレート部材７の上面に設けられ、該シート６１には、ロッド貫通孔６２を有するガイド部材６２１が連結されている。このシート６１の一端側は、プレート部材７の第１シート挿通孔７１に挿通されてプレート部材７の下方側へ伸び、開口部５３の一方側下方に設けられた回動自在な第１枢支軸６５の外周に架け回されている。一方、シート６１の他端側は、プレート部材７の第２シート挿通孔７２に挿通されてプレート部材７の下方側へ伸び、開口部５３の他方側下方に設けられた回動自在な第２枢支軸６６の外周に架け回されている。このシート６１の一端側及び他端側は第１及び第２枢支軸６５，６６に回されて反転し、そのシート６１の一端縁６１ａと他端縁６１ｂの間に、スプリングバネやゴムなどの弾性部材６７（付勢部材に相当）が連結されている。
弾性部材６７は、ロッド２の移動を阻害しないように、図６（ｂ）に示すように、開口部５３を避けて設けられている。例えば、弾性部材６７は、シート６１の幅方向両側部に２本連結されている。
【００２９】
本実施形態に係る防虫ネット５も、上記実施形態と同様に、ロッド２が開口部５３の長手方向に沿って移動した際、無端状に張設されたシート６１はロッド２に追従し、第１枢支軸６５及び第２枢支軸６６の回転によって回るため、ロッド２の移動領域となる開口部５３を閉状態に保つことができる。従って、本実施形態の防虫ネット５は、ロッド２を円滑に移動させて開閉窓３を開閉することができ、更に、開口部５３をシート６１によって閉塞できるので、開口部５３から虫が侵入することを防止できる。
【００３０】
また、本実施形態の防虫ネット５は、シート６１の一端縁６１ａと他端縁６１ｂの間に弾性部材６７が設けられているので、開口部５３を閉塞するシート６１は弛むことなく張設状態を保つことができ、シートが円滑に回る上、開口部５３をより確実に閉塞して虫の侵入を防止できる。
【００３１】
尚、本実施形態に於いて、シート６１に弾性部材６７を設けず、シート６１の一端縁６１ａと他端縁６１ｂを、紐状体などの非弾性部材によって連結する態様に変更することもできる。
また、本実施形態に於いて、第１枢支軸６５及び第２枢支軸６６は、必ずしも回動自在なものに限られず、非回動の第１枢支軸６５及び第２枢支軸６６を用いることもできる。この場合、無端状のシート６１が円滑に回るようにするために、非回動の第１枢支軸６５及び第２枢支軸６６は、その外周面がシート６１に対して摩擦係数の小さいものを用いることが好ましい。
【００３２】
（第３実施形態）
第３実施形態は、遮閉機構として、開口部を閉塞するシートが弾性を有している防虫ネットに係る。
図７（ａ）に於いて、開口部を閉塞するシート６１は、少なくとも開口部の長手方向に伸縮可能なシート材によって構成されている。このシート６１は、開口部５３を閉塞するようにプレート部材７の上面に設けられ、該シート６１の略中央部には、ロッド貫通孔６２を有するガイド部材６２１が連結されている。シート６１は、シート６１とプレート部材７の間から虫が侵入できないように、例えば、プレート部材７の上面に接着剤などを介して固着されている（同図に於いてシート６１の固着部分を薄墨塗りで示す）。
伸縮可能な弾性を有するシート６１としては、例えば、ゴムなどの弾性材料を成形したシート、弾性を有する布地、蛇腹状に加工された伸縮シートなどを用いることができ、該シート６１は、虫の侵入を防止できる程度の網目が形成されたものでもよい。
【００３３】
本実施形態に係る防虫ネット５は、図７（ｂ）に示すように、ロッド２が開口部５３の長手方向に沿って移動した際、シート６１は弾性変形するので、開口部５３が開状態とならず、ロッド２の移動領域となる開口部５３を閉状態に保つことができる。従って、本実施形態の防虫ネット５も、ロッド２を円滑に移動させて開閉窓３を開閉することができ、更に、開口部５３から虫が侵入することを防止できる。
また、本実施形態に係る防虫ネットは、遮閉機構６が弾性を有するシート６１によって構成されているので、その構造が極めて簡易なものである。
【００３４】
（第４実施形態）
第４実施形態は、遮閉機構として、開口部を閉塞するシートが、ネット本体に対して開口部の長手方向に沿って相対移動する防虫ネットに係る。
図８に於いて、開口部５３を閉塞するシート６１は、少なくとも開口部５３の長手方向に沿って、ネット本体５２に対して相対移動するように構成されている。このシート６１は、開口部５３を閉塞するようにプレート部材７の上面に設けられ、該シート６１には、ロッド貫通孔６２を有するガイド部材６２１が連結されている。
【００３５】
具体的には、シート６１は、略平坦状を保持できる程度の剛性を有する板状体が用いられ、例えば、合成樹脂製の厚板、金属板、ベニヤ板などの木板などを用いることができる。このシート６１（シート６１の一端縁から他端縁までの長さ）は、開口部５３の長手方向幅の２倍以上の長さに形成されており、該シート６１の略中央部に、ロッド２の貫通されるロッド貫通孔６２を有するガイド部材６２１が連結されている。
平坦状のシート６１をフレーム部材５１及びネット本体５２の下方側へと収めるため、プレート部材７の第１シート挿通孔７１及び第２シート挿通孔７２は、プレート部材７の上面よりも上方に立ち上げられている。そして、シート６１の一端側は、第１シート挿通孔７１に挿通され、開口部５３の一方側から外側へ延出されている。一方、シート６１の他端側は、プレート部材７の第２シート挿通孔７２に挿通され、開口部５３の他方側へ延出されている。尚、シート６１の一端側を下方から支持するため、フレーム部材５１には、シート６１を挿通支持する補助的な支持部８が設けられ、同様にシート６１の他端側を下方から支持するため、ネット本体５２には、シート６１を挿通支持する補助的な支持部８が設けられている。
【００３６】
本実施形態に係る防虫ネット５は、図８（ｃ）に示すように、ロッド２が開口部５３の長手方向に沿って移動した際、シート６１が、ネット本体５２に対して相対移動するので、開口部５３が開状態とならず、ロッド２の移動領域となる開口部５３を閉状態に保つことができる。従って、本実施形態の防虫ネット５も、ロッド２を円滑に移動させて開閉窓３を開閉することができ、更に、開口部５３から虫が侵入することを防止できる。
【００３７】
（第５実施形態）
第５実施形態は、遮閉機構として、開口部を閉塞するシートに切れ目が形成され、この切れ目が係合部を介して閉塞されている防虫ネットに係る。
図９に於いて、開口部を閉塞するシート６１は、開口部５３の長手方向に沿って切れ目６８が形成されており、この切れ目６８内にロッド２の貫通されるロッド貫通孔６２が設けられている。この切れ目６８は、係合部６８１を介して閉塞されており、該係合部６８１は、ロッド貫通孔６２と共に移動するスライダー部６８２の通過によって係脱可能とされている。
具体的には、シート６１は、開口部５３を閉塞するようにプレート部材７の上面に設けられ、該シート６１の略中央部であって開口部５３の長手方向に沿って、ロッド２の移動を許容する切れ目６８が形成されている。シート６１は、例えば、プレート部材７の上面に接着剤などを介して固着されている。
この切り目６８の両切断縁部には、互いに係合し得る係合部６８１が対向して設けられており、ロッド貫通孔６２が設けられた部分を除いて、切り目６８は、係合部６８１の係合によって閉塞されている。該係合部６８１の係合が解除されている切れ目６８には、ロッド貫通孔６２を有するガイド部材６２１が設けられており、このガイド部材６２１の一端部及び他端部には、スライダー部６８２がそれぞれ固着されている。このスライダー部６８２は、対向する係合部６８１に跨って装着されており、スライダー部６８２を一方側に移動させることにより、対向する係合部６８１を係合し、又、他方側に移動することにより、係合部６８２の係合を解除する機能を有する。
かかる係合可能な係合部６８１及び係合部６８１の係脱を行うスライダー部６８２は、一般的にファスナーと呼ばれており、上記シート６１の切れ目６８のうちロッド貫通孔６２以外部分は、ファスナーによって閉塞されていると言える。
【００３８】
本実施形態に係る防虫ネット５は、図９（ｃ）に示すように、ロッド２が開口部５３の長手方向に沿って移動した際、ロッド貫通孔６２と共にスライダー部６８２が移動する。このうち、ロッド挿通孔６２の移動側に設けられたスライダー部６８２は、その先の係合部６８１の係合を解除して、ロッド２を円滑に移動させる。一方、反対側に設けられたスライダー部６８２は、ロッド挿通孔６２の元の位置に於ける係合部６８１を係合させ、切り目６８を閉塞する。このように、ロッド貫通孔６２を有しない切れ目６８部分が閉塞されるので、ロッド２の移動領域となる開口部５３を閉状態に保つことができる。従って、本実施形態の防虫ネット５も、ロッド２を円滑に移動させて開閉窓３を開閉することができ、更に、開口部５３から虫が侵入することを防止できる。
【００３９】
（第６実施形態）
上記第１〜第５の各実施形態に於いて、開閉窓３の開閉操作を行うロッド２は、ラックピニオン機構によって出退するものを例示しているが、ロッド２は、ラックピニオン機構によって出退するものに限られない。例えば、図１０に示すように、水平方向に押し引き可能な操作棒２６に、ロッド２の他端部を軸着し、且つ開閉窓３にロッド２の一端部を軸着することによって、ロッド２が構造物１の内外へ出退するように構成してもよい。
【００４０】
また、上記第各実施形態に於いて、防虫ネット５を取り付ける開閉窓３として、一側部が構造物１に軸支された跳ね上げ式の開閉窓を例示しているが、例えば、ロッド２の操作によって窓面に平行移動させることで開閉されるスライド式開閉窓などに本発明の防虫ネット５を取り付けることもできる。さらに、上記第各実施形態に於いて、防虫ネット５を取り付ける開閉窓３として、構造物１の屋根に設けられた所謂天窓を例示しているが、例えば、構造物１の壁面に設けられた開閉窓３などに本発明の防虫ネット５を取り付けることもできる。
【００４１】
また、上記各実施形態に於いては、ロッド貫通孔６２を有するガイド部材６２１がシート６１に設けられているため、該貫通孔６２にロッド２を貫通してロッド２を移動させた際、ロッド２がシート６１に直接接触せず、シート６１の保護に優れているが、ガイド部材６２１を設けずに、シート６１にロッド貫通孔６２を直接形成することもできる。
その他、上記各実施形態に示す各構成を、適宜変更、付加、置換などすることができる。
【図面の簡単な説明】
【００４２】
【図１】第１実施形態に係る防虫ネット及び開閉窓を備える構造物を妻側から見た一部省略参考正面図であって、（ａ）は、開閉窓を閉じた状態を、（ｂ）は、開閉窓を開けた状態を示す。
【図２】同防虫ネット及び開閉窓を備える構造物を屋根側から見た一部省略参考平面図。
【図３】ロッドが挿通された同防虫ネットの平面図。
【図４】（ａ）は、図３のＡ−Ａ線一部省略縦断面図、図４（ｂ）は、ロッドを移動させた状態を示す同縦断面図。
【図５】プレート部材を示す平面図。尚、シートなどを二点鎖線で示している。
【図６】（ａ）は、第２実施形態に係る防虫ネットの開口部及び遮閉機構などを示す一部省略平面図、（ｂ）は、防虫ネットの開口部及び遮閉機構を下方側から見た一部省略底面図、（ｃ）は、（ａ）のＢ−Ｂ線一部省略縦断面図。
【図７】（ａ）は、第３実施形態に係る防虫ネットの開口部及び遮閉機構などを示す一部省略平面図、（ｂ）は、同防虫ネットに於いて、ロッドを移動させた状態を示す一部省略平面図。
【図８】（ａ）は、第４実施形態に係る防虫ネットの開口部及び遮閉機構などを示す一部省略平面図、（ｂ）は、（ａ）のＣ−Ｃ線一部省略断面図、（ｃ）は、同防虫ネットに於いて、ロッドを移動させた状態を示す一部省略縦断面図。
【図９】（ａ）は、第５実施形態に係る防虫ネットの開口部及び遮閉機構などを示す一部省略平面図、（ｂ）は、（ａ）のＤ−Ｄ線一部省略断面図、（ｃ）は、同防虫ネットに於いて、ロッドを移動させた状態を示す一部省略平面図。
【図１０】第６実施形態に係る防虫ネット及び開閉窓を備える構造物を妻側から見た一部省略参考正面図であって、（ａ）は、開閉窓を閉じた状態を、（ｂ）は、開閉窓を開けた状態を示す。
【符号の説明】
【００４３】
１…構造物、２…ロッド、３…開閉窓、５…防虫ネット、５１…フレーム部、５２…ネット本体、５３…開口部、６…遮閉機構、６１…シート、６２…ロッド貫通孔、６２１…ガイド部材、６３…第１巻き取り部材、６３１…第１巻き取り軸、６４…第２シート巻き取り部材、６４１…第２巻き取り軸、６５…第１枢支軸、６６…第２枢支軸、６７…弾性部材（付勢部材）、６８…切れ目、６８１…係合部、６８２…スライダー部、７…プレート部材
【図１】
2007037493.tif 000003
【図２】
2007037493.tif 000004
【図３】
2007037493.tif 000005
【図４】
2007037493.tif 000006
【図５】
2007037493.tif 000007
【図６】
2007037493.tif 000008
【図７】
2007037493.tif 000009
【図８】
2007037493.tif 000010
【図９】
2007037493.tif 000011
【図１０】
2007037493.tif 000012